【手続補正書】
【提出日】平成25年3月4日(2013.3.4)
【手続補正１】
【補正対象書類名】明細書
【補正対象項目名】０００６
【補正方法】変更
【補正の内容】
【０００６】
上述の課題を解決する為、本発明の眼底撮像装置は、少なくとも１つの被検眼の眼底画像を含む第１の眼底画像を取得する第１の眼底画像取得手段と、前記取得された第１の眼底画像から特徴画像を抽出する抽出手段と、前記抽出された特徴画像の輝度情報に基づいて、前記取得された第１の眼底画像とは明るさの異なる少なくとも２つの前記被検眼の眼底画像を含む第２の眼底画像を取得する第２の眼底画像取得手段と、前記取得された第２の眼底画像に基づいて前記被検眼の動きを検出する検出手段と、を有することを特徴としている。
【手続補正２】
【補正対象書類名】明細書
【補正対象項目名】０００７
【補正方法】変更
【補正の内容】
【０００７】
また、本発明の眼底撮像装置の制御方法は、少なくとも１つの被検眼の眼底画像を含む第１の眼底画像を取得する工程と、前記取得された第１の眼底画像から特徴画像を抽出する工程と、前記抽出された特徴画像の輝度情報に基づいて、前記第１の眼底画像とは明るさの異なる少なくとも２つの前記被検眼の眼底画像を含む第２の眼底画像を取得する工程と、前記取得された第２の眼底画像に基づいて前記被検眼の動きを検出する工程と、を有することを特徴とする。
【手続補正３】
【補正対象書類名】特許請求の範囲
【補正対象項目名】全文
【補正方法】変更
【補正の内容】
【特許請求の範囲】
【請求項１】
少なくとも１つの被検眼の眼底画像を含む第１の眼底画像を取得する第１の眼底画像取得手段と、
前記取得された第１の眼底画像から特徴画像を抽出する抽出手段と、
前記抽出された特徴画像の輝度情報に基づいて、前記取得された第１の眼底画像とは明るさの異なる少なくとも２つの前記被検眼の眼底画像を含む第２の眼底画像を取得する第２の眼底画像取得手段と、
前記取得された第２の眼底画像に基づいて前記被検眼の動きを検出する検出手段と、
を有することを特徴とする眼底撮像装置。
【請求項２】
前記抽出された特徴画像の前記輝度情報に基づいてフレームレートを決定する決定手段を更に有し、
前記第２の眼底画像取得手段は、前記決定されたフレームレートで前記第２の眼底画像を取得することを特徴とする請求項１に記載の眼底撮像装置。
【請求項３】
前記抽出された特徴画像の輝度値が所定値より低い場合、前記決定手段は前記フレームレートを前記第１の眼底画像の取得時のフレームレートよりも低い値に決定することを特徴とする請求項２に記載の眼底撮像装置。
【請求項４】
前記抽出された特徴画像の輝度値が所定値以上である場合、前記決定手段は前記フレームレートを前記第１の眼底画像の取得時のフレームレートよりも高い値に決定することを特徴とする請求項２又は３に記載の眼底撮像装置。
【請求項５】
前記決定手段は、前記特徴画像における複数の分割領域の輝度差に基づいて、前記フレームレートを決定することを特徴とする請求項２乃至４のいずれか１項に記載の眼底撮像装置。
【請求項６】
前記抽出された特徴画像の輝度情報に基づいて露光時間を決定する決定手段を更に有し、
前記第２の眼底画像取得手段は、前記決定された露光時間で前記第２の眼底画像を取得することを特徴とする請求項１に記載の眼底撮像装置。
【請求項７】
前記抽出手段は、前記取得された第２の眼底画像から少なくとも３つの特徴画像を抽出し、
前記検出手段は、前記抽出された少なくとも３つの特徴画像に基づいて、前記被検眼の動きを検出することを特徴とする請求項１乃至６のいずれか１項に記載の眼底撮像装置。
【請求項８】
前記被検眼に対して光を走査する走査手段を用いて前記被検眼の断層画像を取得する断層画像取得手段と、
前記抽出された少なくとも３つの特徴画像に基づいて、前記取得された第２の眼底画像の前記少なくとも２つの眼底画像の間の移動量を計算する計算手段と、
前記計算された移動量に基づいて、前記走査手段の走査位置を補正する補正手段と、
を更に有することを特徴とする請求項７に記載の眼底撮像装置。
【請求項９】
前記抽出された特徴画像は、前記被検眼の血管の交差を含むことを特徴とする請求項１乃至８のいずれか１項に記載の眼底撮像装置。
【請求項１０】
前記第１及び第２の眼底画像は、ＳＬＯ画像であることを特徴とする請求項１乃至９のいずれか１項に記載の眼底撮像装置。
【請求項１１】
少なくとも１つの被検眼の眼底画像を含む第１の眼底画像を取得する工程と、
前記取得された第１の眼底画像から特徴画像を抽出する工程と、
前記前記抽出された特徴画像の輝度情報に基づいて、前記取得された第１の眼底画像とは明るさの異なる少なくとも２つの前記被検眼の眼底画像を含む第２の眼底画像を取得する工程と、
前記取得された第２の眼底画像に基づいて前記被検眼の動きを検出する工程と、
を有することを特徴とする眼底撮像装置の制御方法。
【請求項１２】
前記抽出された特徴画像の前記輝度情報に基づいてフレームレートを決定する工程を更に有し、
前記第２の眼底画像を取得する工程において、前記決定されたフレームレートで前記第２の眼底画像を取得することを特徴とする請求項１１に記載の眼底撮像装置の制御方法。
【請求項１３】
前記決定する工程において、前記抽出された特徴画像の輝度値が所定値より低い場合、前記フレームレートを前記第１の眼底画像の取得時のフレームレートよりも低い値に決定することを特徴とする請求項１２に記載の眼底撮像装置の制御方法。
【請求項１４】
前記決定する工程において、前記抽出された特徴画像の輝度値が所定値以上である場合、前記フレームレートを前記第１の眼底画像の取得時のフレームレートよりも高い値に決定することを特徴とする請求項１２又は１３に記載の眼底撮像装置の制御方法。
【請求項１５】
前記決定する工程において、前記特徴画像における複数の分割領域の輝度差に基づいて、前記フレームレートを決定することを特徴とする請求項１２乃至１４のいずれか１項に記載の眼底撮像装置の制御方法。
【請求項１６】
前記抽出された特徴画像の輝度情報に基づいて露光時間を決定する工程を更に有し、
前記第２の眼底画像を取得する工程において、前記決定された露光時間で前記第２の眼底画像を取得することを特徴とする請求項１１に記載の眼底撮像装置の制御方法。
【請求項１７】
前記抽出する工程において、前記取得された第２の眼底画像から少なくとも３つの特徴画像を抽出し、
前記検出する工程において、前記抽出された少なくとも３つの特徴画像に基づいて、前記被検眼の動きを検出することを特徴とする請求項１１乃至１６のいずれか１項に記載の眼底撮像装置の制御方法。
【請求項１８】
前記被検眼に対して光を走査する走査手段を用いて前記被検眼の断層画像を取得する工程と、
前記抽出された少なくとも３つの特徴画像に基づいて、前記取得された第２の眼底画像の前記少なくとも２つの眼底画像の間の移動量を計算する工程と、
前記計算された移動量に基づいて、前記走査手段の走査位置を補正する工程と、
を更に有することを特徴とする請求項１７に記載の眼底撮像装置の制御方法。
【請求項１９】
前記抽出された特徴画像は、前記被検眼の血管の交差を含むことを特徴とする請求項１１乃至１８のいずれか１項に記載の眼底撮像装置の制御方法。
【請求項２０】
前記第１及び第２の眼底画像は、ＳＬＯ画像であることを特徴とする請求項１１乃至１９のいずれか１項に記載の眼底撮像装置の制御方法。
【請求項２１】
請求項１１乃至２０のいずれか１項に記載の眼底撮像装置の制御方法の各工程をコンピュータに実行させることを特徴とするプログラム。